(57)【要約】      （修正有）【課題】取り扱いが簡単で低価格で提供できると共に故障の心配がなく、均一にパウダーの噴射ができ、携帯に便利な擬毛パウダー噴射器を提供する。【解決手段】噴射器本体１には、手で圧縮して加圧できる加圧室４を形成し、この加圧室４内にパウダーａを収容したパウダー容器８を組み付ける。加圧室４の膨出部２を手で加圧すると、この加圧室４の底部の逆止弁５が閉じ、パウダー容器８の十字状の逆止弁１０が開いて加圧空気がパウダー室９内に噴き上げて、パウダーａが舞い上がり、ノズル１５から目的部位に噴射する。この結果、舞い上って均一化されたパウダーａを噴射することができると共に、このパウダー噴射器は手動式のため、製作コストが安く、構成が簡単で故障の心配もなく、更にノズル１５は折り畳み式のため、携帯するのに便利となる。また、ノズル１５を１８０°後方に折り畳んだ時は、バルブ機構の働きでパウダー出口１４が閉じて携帯時等に不用意にパウダーが排出されないようにする。【選択図】図３
0003192987.tif 000002
【実用新案登録請求の範囲】
【請求項１】
ａ．上部を開放し、下半に加圧室を形成して成る噴射器本体と、
ｂ．内部に擬毛パウダー収容室を形成し、前記噴射器本体に対して上部の開口部を経由して組み付け自在の擬毛パウダー容器と、
ｃ．前記噴射器本体の加圧室内が負圧のときに開放して空気を加圧室内に導入し、加圧室内が加圧の時に閉じる逆止弁を加圧室の底部に取り付けたこと、
ｄ．前記加圧室内が加圧状態になると開放して擬毛パウダー収容室内に加圧空気を圧送し、加圧室内が負圧になると閉じて圧送を止める十字状のスリットを形成した逆止弁を前記擬毛パウダー収容室の底部に取り付けたこと、
ｅ．噴霧器本体の上部と擬毛パウダー容器の上部を同時に塞ぐようにして噴射器本体に着脱自在に取り付けられ、かつ天壁にノズル口を形成して成る蓋体と、
ｆ．前記蓋体のノズル口に対して水平方向に突出させて取り付けられた擬毛パウダー噴射ノズルと、
ｇ．から成る擬毛パウダー噴射器。
【請求項２】
前記擬毛パウダー噴射ノズルは、前記蓋体上において、１８０°回転させて折り畳むことができると共に、ノズルを１８０°折り畳んだ際に前記ノズル口が閉塞されて携帯時或いは不使用時に不用意に擬毛パウダーが排出するのを防ぐように構成されていること、を特徴とする請求項１に記載の擬毛パウダー噴射器。
【考案の詳細な説明】
【技術分野】
【０００１】
本考案は、頭髪が薄い場合に、この薄い部分に擬毛パウダーを付着させることにより目立たないように装う擬毛パウダーの噴射器に関する。
【背景技術】
【０００２】
この種擬毛パウダーの噴射器に類似したものとして、実用新案登録第３０５１０１４号公報に紹介されている振動散布式増毛器が公知である。
この公知例の内容は、粉状の微髪毛を充填した容器の内底部に一体となって容器振動板を配し、該容器振動板の略中央には尖端状に形成された柱状の振動棒を一体立設し、また、出力軸に偏心回転振動子を取り付けたモータを容器振動板の下面に一体固設し、容器振動板、振動棒相互を強制的に振動させる振動駆動機構とすることにより容器内で微髪毛に対し振動を付与し、該振動により微髪毛を強制的に振るって容器上端に設けた網蓋の小孔から散布すると共に容器は、電力源、容器振動板、振動棒、振動駆動機構を有する下側駆動部と、微髪毛を充填収容した上側収納部とに２分割され、相互が着脱可能となる構成である。
【０００３】
しかし、この増毛器は、振動の作用で微髪毛を容器内から散布するため、この振動発生には電源とかモーターあるいは振動棒などの多数の部品が必要となり、コスト高になると共に故障の発生率も高まるという欠点がある。
また、微髪毛の散布量の調整が難しく、使用上不便である。
【０００４】
また、散布器は、前述のように部品数が多いことから重量が増して携帯に不便であると共に大型化してしまうという欠点がある。
【考案の概要】
【考案が解決しようとする課題】
【０００５】
本考案の目的は、コストが安く、故障の発生も極めて少なく、思うが儘に散布して綺麗に装うことができ、小型で携帯に便利な擬毛パウダー噴射器を提供することである。
【課題を解決するための手段】
【０００６】
上記目的を達成するため、請求項１に記載の考案は、擬髪毛パウダー噴射器において、ａ．上部を開放し、下半に加圧室を形成して成る噴射器本体と、ｂ．内部に擬毛パウダー収容室を形成し、前記噴射器本体に対して上部の開口部を経由して組み付け自在の擬毛パウダー容器と、ｃ．前記噴射器本体の加圧室内が負圧のときに開放して空気を加圧室内に導入し、加圧室内が加圧の時に閉じる逆止弁を加圧室の底部に取り付けたこと、ｄ．前記加圧室内が加圧状態になると開放して擬毛パウダー収容室内に加圧空気を圧送し、加圧室内が負圧になると閉じて圧送を止める十字状のスリットを形成した逆止弁を前記擬毛パウダー収容室の底部に取り付けたこと、ｅ．噴霧器本体の上部と擬毛パウダー容器の上部を同時に塞ぐようにして噴射器本体に着脱自在に取り付けられ、かつ天壁にノズル口を形成して成る蓋体と、ｆ．前記蓋体のノズル口に対して水平方向に突出させて取り付けられた擬毛パウダー噴射ノズルと、から成ることを特徴とするものである。
【０００７】
また、請求項２に記載の考案は、請求項１に記載の擬髪毛パウダー噴射器において、前記擬毛パウダー噴射ノズルは、前記蓋体上において、１８０°回転させて折り畳むことができると共に、ノズルを１８０°折り畳んだ際に前記ノズル口が閉塞されて携帯時或いは不使用時に不用意に擬毛パウダーが排出するのを防ぐように構成されていることを特徴とするものである。
【考案の効果】
【０００８】
本考案に係る擬髪毛パウダー噴射器は、手動空気加圧のポンプ式で加圧室に内圧を発生させ、この内圧でパウダー容器内の擬毛パウダーを噴き上げてパウダー容器内の上部空間に舞い上げてからノズルを経由して噴射するため、擬毛パウダーは均一化し、かつ手動のために製作コストが安く、構造が簡単なために故障の心配もない。
【０００９】
また、請求項２に記載の考案では、ノズルを折り畳み自在に構成したことにより、携帯時にノズルが邪魔にならず便利であると共に、この折り畳みにより時には擬毛パウダーがノズルから不用意に排出されることもない。
【図面の簡単な説明】
【００１０】
【図１】本考案に係る噴射器の外観図。
【図２】本考案に係る噴射器の平面図。
【図３】Ａ−Ａ’線断面図。
【図４】ノズル部分の断面図。
【図５】加圧室に取り付けた逆止弁の説明図。
【図６】擬毛パウダー容器に取り付けた逆止弁の説明図。
【図７】本考案に係る噴射器を用いて擬毛パウダーを頭皮に噴射している状態の説明図。説明図。
【考案を実施するための形態】
【００１１】
図１〜図７に基づいて本考案に係る擬毛パウダー（以下「パウダー」という。）噴射器の詳細とその使用法を説明する。
【００１２】
符号の１は噴射器本体であって、この噴射器本体１は、下半の膨出部２を手で内方に変形させることにより、内部の加圧室４内を加圧することができる。
また、この加圧室４の底部４ａには加圧室４内が減圧したときに開放し、加圧したときに閉じるボール弁６と弁シート７からなる逆止弁５が取り付けられている。
【００１３】
８は、前記噴射器本体１内において、加圧室４の圧力変動の影響を受ける位置であって、噴射器本体１の上部開口部１ａ内に嵌合するようにして組み付けられた擬毛パウダー容器であって、この擬毛パウダー容器８内にはパウダー室９が形成されていて、このパウダー室９の底部９ａには、図６に示すように中央に十字状のスリット１１を形成した逆止弁１０が取り付けられていて、この逆止弁１０のスリット１１は、加圧室４内が加圧されたときに開き、加圧室４内が負圧になると閉じる構成である。
【００１４】
１２は噴射容器本体１の上部の開口部１ａ内の外にねじ１３で取り付けられたキャップであって、このキャップ１２は、擬毛パウダー容器８の上部の開口を同時に閉塞する。
【００１５】
１４は、前記キャップ１２の天面１２ａにおいて、一方に片寄った位置に形成されたパウダー出口であって、このパウダー出口１４には水平方向に向けてノズル１５が根元の回転部１６で取り付けられていて、ノズル１５は図２で示すように後方に１８０°回転させて一点鎖線で示すように折り畳み部１７のところに折り畳み、携帯時に便利なように工夫されている。
【００１６】
また、パウダー出口１４と回転部１６間には、ノズル１５を水平方向に向けた時に開閉口が一致して連通し、１８０°折り畳んだ時に開閉口がズレて閉口する回転バルブ機構１４ａが形成されている。
【００１７】
図３、図４において、ａはパウダー室９内に収容された擬毛パウダーであって、この擬毛パウダーａは、パウダー室９内においてマックスで上部に空間９ａが少し残る程度にその収容量が制限される。
【００１８】
本考案に係る噴射器は以上の構成からなり、図７に示すように、使用する際はノズル１５を頭皮に接近するようにして向け、膨出部２を手で内側に絞るように変形させると、加圧室４内の空気が加圧されて逆止弁１０の十字状のスリット１１が開き、パウダー室９内のパウダーａを上部空間９ａ内に噴き上げる。
【００１９】
この噴き上げられたパウダーａは、空間９ａ内で舞い上り、パウダー出口１４からノズル１５を経由して頭皮面に噴出し、ここに付着する。
【００２０】
この結果、薄毛部分を目立たないように装うことができる。
【００２１】
パウダーａの入れ替えを行う場合は、キャップ１２を取り外して行う。
【００２２】
なお、パウダー容器８は、染色の違うパウダーが収容されたカートリッジ式のものを用意しておき、色を変更したい場合には、パウダー容器８自体を交換するようにしてもよい。
【符号の説明】
【００２３】
１  噴射容器本体
２  膨出部
４  加圧室
５  逆止弁
６  ボール弁
７  弁シート
８  パウダー容器
９  パウダー室
１０  逆止弁
１２  キャップ
１４  パウダー出口
１５  ノズル
１６  回転部
１７  折り畳み部
ａ  パウダー
【図１】
0003192987.tif 000003
【図２】
0003192987.tif 000004
【図３】
0003192987.tif 000005
【図４】
0003192987.tif 000006
【図５】
0003192987.tif 000007
【図６】
0003192987.tif 000008
【図７】
0003192987.tif 000009